(57)【要約】【課題】空気調和機等の空気熱交換器の凝縮水による水飛びおよび霧吹き現象の発生を防止する。【解決手段】その一部又は全部が、送風通路中において所定角以上水平方向に傾けた状態で設置される空気調和機用室内機等の空気熱交換器において、同所定角以上傾斜した熱交換器伝熱フィン部分の下側端面の鉛直方向に凝縮水ガイド用のＶ字形、線状その他の切込みを形成し、同切込みを介して伝熱フィンのフィン面に生じた凝縮水を速やかに下方側ドレンパン内に流下させることにより、水飛びや霧吹きの発生を防止した。【選択図】        図２
2008202899.tif 000002
【特許請求の範囲】
【請求項１】
伝熱管１１，１１・・・、１２，１２・・・と、該伝熱管１１，１１・・・、１２，１２・・・に対してクロスする状態で多数枚並設された伝熱フィンＡ，Ａ・・・、Ｂ，Ｂ・・・とからなる熱交換器であって、該熱交換器の上記伝熱フィンＡ，Ａ・・・、Ｂ，Ｂ・・・の、当該熱交換器を水平方向に所定角以上傾けて設置した際に下側となる端面に、同傾斜状態において下方から上方に略鉛直方向に延びる凝縮水ガイド用の切込み１６，１６・・・、１６ｂ，１６ｂ・・・を形成したことを特徴とする熱交換器。
【請求項２】
上側端面の下側端面の切込み１６，１６・・・、１６ｂ，１６ｂ・・・に対応する部分に、同じ傾斜状態において略鉛直方向に延びる他の切込み１６ａ，１６ａ・・・を形成したことを特徴とする請求項１記載の熱交換器。
【請求項３】
熱交換器は、当該切込み１６，１６・・・、１６ｂ，１６ｂ・・・、１６ａ，１６ａ・・・を利用して所望の形状に曲げ加工されたものとなっていることを特徴とする請求項１又は２記載の熱交換器。
【請求項４】
上端側端面の切込み１６ａ，１６ａ・・・は、下端側端面の切込み１６ｂ，１６ｂ・・・よりも浅く形成されていることを特徴とする請求項２又は３記載の熱交換器。
【請求項５】
切込み１６，１６・・・、１６ｂ，１６ｂ・・・、１６ａ，１６ａ・・・は、Ｖ字形のものであることを特徴とする請求項１，２，３又は４記載の熱交換器。
【請求項６】
切込み１６，１６・・・、１６ｂ，１６ｂ・・・、１６ａ，１６ａ・・・は、線状のものであることを特徴とする請求項１，２，３又は４記載の熱交換器。
【請求項７】
当該熱交換器が空気調和機用室内機の熱交換器であり、その一部又は全部が同空気調和機用室内機の送風通路中において水平方向に所定角以上傾けた状態で設置されるものであることを特徴とする請求項１，２，３，４，５又は６記載の熱交換器。
【発明の詳細な説明】
【技術分野】
【０００１】
本願発明は、空気調和機用室内機等の熱交換器の構造に関するものである。
【背景技術】
【０００２】
例えば空気調和機用室内機の熱交換器としては、一般にクロスフィンコイル型の空気熱交換器が採用されており、冷房運転時に熱交換器（蒸発器）表面で生じた凝縮水は、重力により当該熱交換器のフィン表面に沿って流下し、その下方に設けられているドレンパン部分に集められて室外に排出されるようになっている（第１の従来例）。
【０００３】
今、このような熱交換器を備えて構成された従来の空気調和機用室内機の構成を図８および図９に示す。
【０００４】
すなわち、この従来例では、上方側から下方側にλ字状に折り曲げられた所謂ラムダ形の空気熱交換器３２とクロスフローファン３１とを用いて上面側および前面側吸込み、斜め下方吹きの壁掛け型空気調和機用室内機１を構成しており、符号２０は、当該壁掛け型空気調和機用室内機１のカセット型の本体ケーシングである。該本体ケーシング２０は、その背面側パネル部分が当該部屋の壁面に当接するようにして、同壁面に設置されるようになっている。
【０００５】
そして、上記本体ケーシング２０の前面側から上面側には、空気吸込口２５が設けられ、その内側にはラムダ型の空気熱交換器３２とクロスフローファン３１が設けられている。ラムダ型の空気熱交換器３２は、前部側長尺部３２ａと後部側短尺部３２ｂとからなり、それらの内側下方にクロスフローファン３１を設けて設置されている。クロスフローファン３１は、スクロール構造の温調用送風通路３０を介して本体ケーシング２０の前面側底部の空気吹出口２９から斜め下方に温調空気を吹出すようになっている。
【０００６】
上記空気熱交換器３２は、その前部側長尺部３２ａおよび後部側短尺部３２ｂ各々の下端を各々ドレンパン２８ａ，２８ｂ内に固定することによって支持されている。
【０００７】
上記空気熱交換器３２の熱交部は、例えば図９に示されるように、２列で、交互に位置をズラせて配設された伝熱管１１，１１・・・（下流側）、１２，１２・・・（上流側）と、該伝熱管１１，１１・・・、１２，１２・・・の各々に対して所定のピッチを保って多数枚嵌装並設された伝熱フィンＡ，Ａ・・・（下流側）、Ｂ，Ｂ・・・（上流側）と、該伝熱フィンＡ，Ａ・・・、Ｂ，Ｂ・・・の伝熱面上の各伝熱管１１，１１・・・、１２，１２・・・間の上下スペース領域において設けられた前後複数列のスリット（又はルーバー）よりなる切り起し片１３，１３・・・、１４，１４・・・と、これらの両端側に設けられた図示しない管板とから構成されている。
【０００８】
したがって、該構成の場合、例えば冷房又は暖房運転時において、送風手段である上記クロスフローファン３１が駆動されると、上記λ形状の熱交面積が大きく、しかも空気吸込領域の広い空気熱交換器３２を介して低圧損で均一かつ効果的に熱交換された温調空気（冷気又は暖気）が、前面部下方の空気吹出口２９から吹き出され、同空気が下方に降下して行くことによってユーザーに対する快適な冷房又は暖房空調環境が実現される。
【０００９】
そして、このような壁掛け型の空気調和機用室内機に適用された上記空気熱交換器３２では、特に同熱交換器３２が蒸発器となる冷房運転時の場合、上記伝熱フィンＡ，Ａ・・・、Ｂ，Ｂ・・・の伝熱面上で空気中の水分が凝縮し、同伝熱面上に多数の結露が生じるとともに、それらが上記スリット（又はルーバー）よりなる切り起し片１３，１３・・・、１４，１４・・・の内側にも入り込む。
【００１０】
しかし、同構成の場合、上記空気熱交換器３２の前後各熱交部は、例えば図８からも明らかなように、略鉛直状態に近い極めて小さな傾斜角（水平方向を最大として）で設置されている。
【００１１】
したがって、それら結露水は重力によつてスムーズにフィン面に沿って斜め下方に流れ落ち、ドレンパン２８ａ，２８ｂ内に集められる。その結果、風量が大きいような時にも、そのまま空気吹出口２９方向に吹き飛ばされて水飛びを生じさせたり、霧状の水分を吹き出すようなことは生じない。
【００１２】
ところが、空気調和機用室内機の機種によっては、例えば図１０に示されるように、その構造上、空気熱交換器４２が風上側を鉛直方向から下向きに大きく傾けて設置されているものがあり、そのような場合、重力の向きと風の向きが逆になるため、上述した凝縮水の挙動が不安定となり、空気吹出口４９からの水飛びや霧吹きが生じることがある（第２の従来例）。
【００１３】
この図１０の空気調和機用室内機は、単一の送風通路４０、単一のクロスフローファン４１、単一の空気熱交換器４２、単一の空気吹出口４９を備えたシングルフロー型の天井埋込式の空気調和機用室内機となっている。
【００１４】
図中、先ず符号５０は、当該天井埋込式空気調和機１のカセット型の本体ケーシングである。該本体ケーシング５０は、その吸気・吹出パネル（下面パネル部）４４が天井３と略同一平面状に連続するようにして、天井３内に埋設されている。
【００１５】
そして、上記本体ケーシング５０の上記吸気・吹出パネル４４には、その左右方向一側部に長方形状の空気吸込口４５が前後方向に延びて設けられ、さらに、その内側上方に図１１のものと同様の熱交換器４２が前後方向に延び、かつ、その左右幅方向の全体が一側部側から他側部側第１のドレンパン（メインドレンパン）４８ａ方向に下降傾斜する状態で配設されている。この熱交換器４２は、後述するスクロール構造の送風通路４０内のクロスフローファン４１の手前にあって、できるだけ熱交換面積を広く取り、かつクロスフローファン４１に近付きすぎないようにするために、図示のようにくの字状に折り曲げられて設置されている（下部側４２ａ、上部側４２ｂ）。
【００１６】
また、上記本体ケーシング５０の吸気・吹出パネル４４における上記上記空気吸込口４５の他方側（図示左側）位置には、所定の幅の空気吹出口４９が前後方向（紙面貫通方向）に延びて設けられている。
【００１７】
そして、それとともに上記本体ケーシング５０内には上記空気吸込口４５から上記空気吹出口４９方向に到るスクロール構造の単一の送風通路４０が形成されており、該送風通路４０の上記熱交換器４２の下流側背後（図示上部左側方）に位置してクロスフローファン４１が設けられている。そして、同クロスフローファン４１が回転すると、図示の矢印のように、空気吸込口４５から吸込まれた空気が上記くの字状の空気熱交換器４２を通って冷却された後にクロスフローファン４１を貫流して空気吹出口４９から吹き出される。
【００１８】
このような空気調和機用室内機に適用された上記空気熱交換器４２では、同熱交換器４２が蒸発器となる冷房運転時の場合、上記図１１の伝熱フィンＡ，Ａ・・・、Ｂ，Ｂ・・・の伝熱面上で空気中の水分が凝縮し、同伝熱面上に多数の結露が生じるとともに、それらがスリット（又はルーバー）よりなる切り起し片１３，１３・・・、１４，１４・・・の内側にも入り込む。
【００１９】
しかも、同構成の場合、上記くの字状に曲成された空気熱交換器４２の下部側４２ａは、図１０から明らかなように、略水平状態に近い大きな傾斜角で設置されている。
【００２０】
したがって、このような場合、同部分では重力の向きと風の向きが逆になるため、上述した凝縮水の挙動が不安定となりやすく、空気吹出口４９からの水飛びや霧吹きが生じやすい。
【００２１】
このような凝縮水対策の問題に関連して、例えば上記同様の平行に配置された前後２列の伝熱管と、該伝熱管に対して直交状態で嵌挿配置された板状の伝熱フィンとからなる空気熱交換器において、上記伝熱フィンに、上記伝熱管の後流側における伝熱管からフィン後縁端に至るフィン幅がフィン前縁端から伝熱管に至るフィン幅よりも広くなるように面積拡大部を一体形成したものがある（例えば最も近い第３の従来例として、下記の特許文献１の内容を参照）。
【００２２】
このような構成によれば、当該熱交換器を上述のように蒸発器として使用したような場合（特に油煙の多い厨房等において蒸発器として使用した場合）に、伝熱管の後流側は他の部分（例えば伝熱管相互間）より温度が低くなる傾向があるが、当該部分に面積拡大部が形成されているので、温度の高い伝熱管相互間からの熱影響を受け易くなり、温度の均一化が進むことになる。
【００２３】
したがって、それにより伝熱管の後流側を流れる空気流の温度低下が緩和され、同部分では空気流の温度が露点温度以下になりにくくなるので、霧成分の発生を抑制することができる。
【００２４】
【特許文献１】特開平１０−１８５４７６号公報（明細書１−３頁、図１−４）
【発明の開示】
【発明が解決しようとする課題】
【００２５】
しかし、この従来例の構成の場合、上述のように伝熱管の後流側を流れる空気流の温度低下を緩和するだけであるから、厨房の油煙等に起因する霧吹きを防止することはできるとしても、上述した挙動不安定な結露水の滞留による水飛びや霧吹きまでは防止することができない。
【００２６】
本願発明は、このような問題を解決するためになされたもので、水平方向に所定角以上傾斜した熱交換器伝熱フィン部分の下側端面の鉛直方向に凝縮水ガイド用の切込みを形成し、同切込みを介してフィン面に生じた凝縮水を速やかに下方側ドレンパン内に流下させることにより、可及的に水飛びの発生を防止できるようにした空気調和機用室内機等に適した熱交換器を提供することを目的とするものである。。
【課題を解決するための手段】
【００２７】
本願発明は、上記の目的を達成するために、次のような課題解決手段を備えて構成されている。
【００２８】
（１）  請求項１の発明
この発明の熱交換器は、伝熱管１１，１１・・・、１２，１２・・・と、該伝熱管１１，１１・・・、１２，１２・・・に対してクロスする状態で多数枚並設された伝熱フィンＡ，Ａ・・・、Ｂ，Ｂ・・・とからなる熱交換器であって、該熱交換器の上記伝熱フィンＡ，Ａ・・・、Ｂ，Ｂ・・・の、当該熱交換器を水平方向に所定角以上傾けて設置した際に下側となる端面に、同傾斜状態において下方から上方に略鉛直方向に延びる凝縮水ガイド用の切込み１６，１６・・・、１６ｂ，１６ｂ・・・を形成したことを特徴としている。
【００２９】
このような構成によれば、伝熱フィンＡ，Ａ・・・、Ｂ，Ｂ・・・表面に生じた凝縮水が下方から上方に向けて鉛直方向に延びる切込み１６，１６・・・、１６ｂ，１６ｂ・・・によってガイドされ、スムーズにフィン下端側に流れるようになり、フィン下端部を通して速やかにドレンパン内に導入されるようになる。
【００３０】
その結果、伝熱フィン途中のフィン面やスリット（又はルーバー）部分に滞留する結露水がなくなり、略確実に水飛び現象を防止することができる。
【００３１】
また、上記のように熱交換器伝熱フィンＡ，Ａ・・・、Ｂ，Ｂ・・・の下端側に切込み１６，１６・・・、１６ｂ，１６ｂ・・・を設けると、同切込み１６，１６・・・、１６ｂ，１６ｂ・・・を延び側として当該熱交換器を外側に曲げることができるようになり、加工性が向上する。
【００３２】
したがって、同熱交換器を例えば空気調和機用室内機の本体ケーシングや送風通路の形状に合わせて伝熱面積を広くし、かつファンとの適切な位置関係を保つことが可能な形状に任意に曲成することができる。
【００３３】
（２）  請求項２の発明
この発明の熱交換器は、上記請求項１の発明の構成において、上側端面の下側端面の切込み１６，１６・・・、１６ｂ，１６ｂ・・・に対応する部分に、同じ傾斜状態において略鉛直方向に延びる他の切込み１６ａ，１６ａ・・・を形成したことを特徴としている。
【００３４】
このような構成によれば、伝熱フィンＡ，Ａ・・・、Ｂ，Ｂ・・・の上端側表面に生じた凝縮水が先ず上端側の切込み１６ａ，１６ａ・・・によりガイドされて、下端側鉛直方向に延びる切込み１６，１６・・・、１６ｂ，１６ｂ・・・部分にスムーズに導かれて、よりスムーズにフィン下端側に流れるようになり、その後、フィン下端部を通して速やかにドレンパン内に導入されるようになる。
【００３５】
その結果、伝熱フィン途中のフィン面やスリット（又はルーバー）部分に滞留する結露水の排出が速くなり、より確実に水飛び現象を防止することができるようになる。
【００３６】
また、このように、熱交換器伝熱フィンＡ，Ａ・・・、Ｂ，Ｂ・・・の下端側の切込み１６，１６・・・、１６ｂ，１６ｂ・・・に加えて上端側端面にも切込み１６ａ，１６ａ・・・を設けると、上記下端側の切込み１６，１６・・・、１６ｂ，１６ｂ・・・を延び側とし、他方上端側の切込み１６ａ，１６ａ・・・を縮み側として当該熱交換器の全体を無理なく外側に曲げることができるようになり、より加工性が向上する。
【００３７】
したがって、後述するように、同熱交換器を例えば空気調和機用室内機の本体ケーシングや送風通路の形状、ファンの設置位置などに合わせて、可及的に広い伝熱面積を確保することができる円弧形状等に任意に曲成するのに最適となる。
【００３８】
（３）  請求項３の発明
この発明の熱交換器は、上記請求項１又は２の発明の構成において、熱交換器は、当該切込みを利用して所望の形状に曲げ加工されたものとなっていることを特徴としている。
【００３９】
このような構成によると、実際に適用される空気調和機用室内機の本体ケーシングや送風通路の形状、ファンの設置位置などに合った最適な形状、伝熱面積の熱交換器を実現することができる。
【００４０】
（４）  請求項４の発明
この発明の熱交換器は、上記請求項２又は３の発明の構成において、上端側端面の切込み１６ａ，１６ａ・・・は、下端側端面の切込み１６ｂ，１６ｂ・・・よりも浅く形成されていることを特徴としている。
【００４１】
上記のように熱交換器の上下両端側に各々切込み１６ａ，１６ａ・・・，１６ｂ，１６ｂ・・・を設けるようにした場合、少なくとも上端側の切込み１６ａ，１６ａ・・・は、水ガイド作用を考慮しても曲げ加工に必要な最低限の深さがあれば足りるので、下端側の切込み１６ｂ，１６ｂ・・・よりも浅いもので十分である。
【００４２】
（５）  請求項５の発明
この発明の熱交換器は、上記請求項１，２，３又は４の発明の構成において、切込み１６，１６・・・、１６ｂ，１６ｂ・・・、１６ａ，１６ａ・・・は、Ｖ字形のものであることを特徴としている。
【００４３】
このような構成によれば、伝熱フィンＡ，Ａ・・・、Ｂ，Ｂ・・・表面に生じた凝縮水が下方から上方に向けて鉛直方向に延びる下端側又は上端側、それら両方のＶ字形の切込み１６，１６・・・、１６ｂ，１６ｂ・・・、１６ａ，１６ａ・・・によってガイドされ、スムーズにフィン下端側に流れるようになり、フィン上端側から下端側を通して速やかにドレンパン内に導入されるようになる。
【００４４】
その結果、伝熱フィン途中のフィン面やスリット（又はルーバー）部分に滞留する結露水がなくなり、略確実に水飛び現象を防止することができる。
【００４５】
また、上記のように熱交換器伝熱フィンＡ，Ａ・・・、Ｂ，Ｂ・・・の下端側、さらには上端側にＶ字形の切込み１６，１６・・・、１６ｂ，１６ｂ・・・、１６ａ，１６ａ・・・を設けると、同切込み１６，１６・・・、１６ｂ，１６ｂ・・・、１６ａ，１６ａ・・・を利用して当該熱交換器を、より自由に円弧状に曲げることができるようになり、さらに加工性が向上する。
【００４６】
したがって、同熱交換器を例えば空気調和機用室内機の本体ケーシングや送風通路の形状に合わせて伝熱面積を広くし、かつファンとの適切な位置関係を保つことが可能な円弧形状に一層容易に曲成することができるようになる。
【００４７】
（６）  請求項６の発明
この発明の熱交換器は、上記請求項１，２，３又は４の発明の構成において、切込み１６，１６・・・、１６ｂ，１６ｂ・・・、１６ａ，１６ａ・・・は、線状のものであることを特徴としている。
【００４８】
このような構成によれば、伝熱フィンＡ，Ａ・・・、Ｂ，Ｂ・・・表面に生じた凝縮水が下方から上方に向けて鉛直方向に延びる下端側又は上端側、それら両方の線状の切込み１６，１６・・・、１６ｂ，１６ｂ・・・、１６ａ，１６ａ・・・によってガイドされ、スムーズにフィン下端側に流れるようになり、フィン上端側から下端側を通して速やかにドレンパン内に導入されるようになる。
【００４９】
その結果、伝熱フィン途中のフィン面やスリット（又はルーバー）部分に滞留する結露水がなくなり、略確実に水飛び現象を防止することができる。
【００５０】
また、上記のように熱交換器伝熱フィンＡ，Ａ・・・、Ｂ，Ｂ・・・の下端側、さらには上端側に線状の切込み１６，１６・・・、１６ｂ，１６ｂ・・・、１６ａ，１６ａ・・・を設けると、同切込み１６，１６・・・、１６ｂ，１６ｂ・・・、１６ａ，１６ａ・・・を利用して当該熱交換器を自由に円弧状に曲げることができるようになり、より加工性が向上する。
【００５１】
したがって、同熱交換器を例えば空気調和機用室内機の本体ケーシングや送風通路の形状に合わせて伝熱面積を広くし、かつファンとの適切な位置関係を保つことが可能な円弧形状に容易に曲成することができるようになる。
【００５２】
（７）  請求項７の発明
この発明の熱交換器は、上記請求項１，２，３，４，５又は６の発明の構成において、当該熱交換器が空気調和機用室内機の熱交換器であり、その一部又は全部が同空気調和機用室内機の送風通路中において水平方向に所定角以上傾けた状態で設置されるものであることを特徴としている。
【００５３】
以上の各発明の構成の熱交換器によれば、当該熱交換器が空気調和機用室内機の熱交換器であり、その一部又は全部が同空気調和機用室内機の送風通路中において水平方向に所定角以上傾けた状態で設置され、同所定角以上傾斜した熱交換器伝熱フィン部分の下側端面の鉛直方向に凝縮水ガイド用のＶ字形又は線状等の切込みを有して、凝縮水がスムーズに排出される空気調和機用室内機が適切に実現される。
【発明の効果】
【００５４】
以上の結果、本願発明によると、水飛びが生じることなく、さらに熱交換器形状、設置の自由度が高い空気調和機用の室内機に適した熱交換器を簡単かつ低コストに提供することができるようになる。
【発明を実施するための最良の形態】
【００５５】
（最良の実施の形態１）
図１および図２は、本願発明の熱交換器を採用した最良の実施の形態１に係る空気調和機用室内機および同室内機の熱交換器部分の構成を示している。この実施の形態では、例えば空気調和機用室内機として、単一の送風通路４０、単一のクロスフローファン４１、単一の空気熱交換器４２、単一の空気吹出口４９を備えたシングルフロー型の天井埋込式空気調和機が採用されている。
【００５６】
図１中、先ず符号５０は、当該天井埋込式空気調和機１のカセット型の本体ケーシングである。該本体ケーシング５０は、その吸気・吹出パネル（下面パネル部）４４が天井３と略同一平面状に連続するようにして、天井３内に埋設されている。
【００５７】
そして、上記本体ケーシング５０の上記吸気・吹出パネル４４には、その左右方向一側部に長方形状の空気吸込口４５が前後方向に延びて設けられ、さらに、その内側上方に熱交換器４２が前後方向に延び、かつ、その左右幅方向の全体が一側部側から他側部側第１のドレンパン４８方向に下降傾斜する状態で配設されている。
【００５８】
また、上記本体ケーシング５０の吸気・吹出パネル４４における上記上記空気吸込口４５の他方側（図示左側）位置には、所定の幅の空気吹出口４９が前後方向に延びて設けられている。
【００５９】
そして、それとともに上記本体ケーシング５０内には上記空気吸込口４５から上記空気吹出口４９方向に到るスクロール構造の単一の送風通路４０が形成されており、該送風通路４０の上記熱交換器４２の下流側背後（図示上部左側方）に位置してクロスフローファン４１が設けられている。
【００６０】
そして、同クロスフローファン４１が回転すると、図示の矢印のように、空気吸込口４５から吸込まれた空気が空気熱交換器４２を通って冷却（又は加温）された後にクロスフローファン４１を貫流して空気吹出口４９から吹き出される。
【００６１】
ところで、この実施の形態の場合、上記空気熱交換器４２は、例えば図２のように構成されている。
【００６２】
すなわち空気熱交換器４２は、例えば２列で、交互に位置をズラせて配設された伝熱管１１，１１・・・、１２，１２・・・と、該伝熱管１１，１１・・・（下流側）、１２，１２・・・（上流側）の各々に対して所定のピッチを保って多数枚嵌装並設された伝熱フィンＡ，Ａ・・・（下流側）、Ｂ，Ｂ・・・（上流側）と、該伝熱フィンＡ，Ａ・・・、Ｂ，Ｂ・・・の伝熱面上の各伝熱管１１，１１・・・、１２，１２・・・間の上下スペース領域において設けられた前後複数列のスリット（又はルーバー）よりなる切り起し片１３，１３・・・、１４，１４・・・と、これらの両端側に設けられた図示しない管板とから構成されている。
【００６３】
そして、同熱交換器４２の上記伝熱フィンＡ，Ａ・・・、Ｂ，Ｂ・・・の各伝熱面には、同熱交換器４２（特に４２ａ部分）を例えば図１の如く水平方向に近く所定角以上傾けて設置した際に鉛直になる方向に沿って、図示のように所定の幅だけ切起し片１３，１３・・・、１４，１４・・・のない（切起し片１３，１３・・・、１４，１４・・・の各々を上下に分割した）フラット面部１５，１５・・・、１６，１６・・・が設けられている。
【００６４】
そして、同フラット面部１５，１５・・・、１６，１６・・・には、当該所定角以上傾斜させた設置状態において略鉛直方向に延びる図示のような凝縮水ガイド用の幅の狭いＶ字形の切込み１６，１６・・・、１６ｂ，１６ｂ・・・が下部側伝熱フィンＢ，Ｂ・・・から、上部側の伝熱フィンＡ，Ａ・・・の略中央に達する深さで形成されている。
【００６５】
このような構成によれば、伝熱フィン表面に生じた結露水が鉛直方向に延びる切起し片１３，１３・・・、１４，１４・・・のないフラット面１５，１５・・・、１６，１６・・・に集められた後に、上記Ｖ字形の切込み１６，１６・・・を介して図１のような傾斜設置状態において下部側となる（図２の右側の）伝熱フィンＢ，Ｂ・・・の下縁側にスムーズに流れるようになり、同伝熱フィンＢ，Ｂ・・・の下縁部を通して下方の所定角以上の熱交換器傾斜面部４２ａの幅方向の各部および所定角未満の小さな傾斜面部４２ｂの下端部をカバーするように設けられた第１〜第３の各ドレンパン４８ａ，４８ｂ，４８ｃ内に導入されるようになる。
【００６６】
なお、傾斜角の小さな上部側の傾斜面部４２ｂでは、その全体が鉛直に近く立っているので、発生した前凝縮水は、前述の図８のラムダ型の熱交と同様に伝熱フィンＡ，Ａ・・・、Ｂ，Ｂ・・・部を介して略ストレートに第３のドレンパン４８ｃ内に流下する。
【００６７】
したがって、熱交換器４２の全体に亘って上記伝熱フィンＡ，Ａ・・・、Ｂ，Ｂ・・・途中のフィン面やスリット（又はルーバー）等切起し片１３，１３・・・、１４，１４・・・部分に滞留する凝縮水がなくなり、略確実に水飛びおよび霧吹き現象を防止することができるようになる。
【００６８】
その結果、同実施形態の構成によると、水飛びおよび霧吹きの生じにくい快適性の高い空気調和機用室内機を低コストに実現することができる。
【００６９】
なお、上記第２，第３のドレンパン４８ｂ，４８ｃは、第１のドレンパン４８ａと分離された形で、下方にくの字状に変形され、相互の間にスムーズに空気が流れる空気通路を形成しており、可及的に空気抵抗を小さくするように構成されている。
【００７０】
また、上記のように、熱交換器伝熱フィンＡ，Ａ・・・、Ｂ，Ｂ・・・の下端側にＶ字形の切込み１６，１６・・・を設けると、同切込み１６，１６・・・を延び側として当該熱交換器４２の全体を外側に曲げることができるようになり、より加工性が向上する。
【００７１】
したがって、同熱交換器を例えば図示のようなくの字状の場合だけでなく、空気調和機用室内機の本体ケーシングや送風通路の形状に合わせた伝熱面積の確保に有利な円弧形状に曲成することも可能となる。
【００７２】
以上の結果、同実施形態の構成によると、水飛びや霧吹きが生じにくくて快適性が高く、しかも熱交換器形状、設置の自由度が高い空気調和機用の室内機に適した空気熱交換器を簡単かつ低コストに提供することができるようになる。
【００７３】
なお、以上の説明および図示の形態における切り起し片１３，１３・・・、１４，１４・・・のスリット又はルーバーについては、もちろん各種の形態および個数、列数のものを採用することができる。
【００７４】
（変形例）
なお、以上の構成では、上記切込み１６，１６・・・の形成に際して、先ず前後各列の伝熱フィンＡ，Ａ・・・、Ｂ，Ｂ・・・の各々に相互に連続する切り起し部１３，１３・・・、１４，１４・・・のないフラット面１５，１６、１５，１６・・・を形成し、その上で下端側から上方にＶ字形の切込み１６，１６・・・を形成するようにしたが、これは例えば図３に示すように、そのようなフラット面１５，１６、１５，１６・・・を全く形成することなく、例えば図９のような構成の切り起し部１３，１３・・・、１４，１４・・・を有する各伝熱フィンＡ，Ａ・・・、Ｂ，Ｂ・・・に対してダイレクトに切込み１６，１６・・・を形成することにより構成するようにしてもよいことは言うまでもない。
【００７５】
このような構成によっても、上述の場合と同様の作用効果（凝縮水の流下の促進と排出）を得ることができるのはもちろん、さらに加工自体が簡単で、コストが安価になる。
【００７６】
また、スリット（又はルーバー）１３，１３・・・、１４，１４・・・がそのまま残るので、伝熱性が低下しない。
【００７７】
なお、以上の場合には、熱交換器４２全体の剛性を考慮して上下伝熱管１１，１１・・・、１２，１２・・・間の１つ置きに切込み１６，１６・・・を形成するようにしたが、もちろん、これは１つ置きでなく、各伝熱管１１，１１・・・、１２，１２・・・の間に各々切込み１６，１６・・・を形成するようにしてもよいことは言うまでもない。
【００７８】
（最良の実施の形態２）
次に図４および図５は、本願発明の熱交換器を採用して構成した最良の実施の形態２に係る空気調和機用室内機および同室内機の熱交換器の構成を示している。
【００７９】
この実施の形態では、上記同様の熱交換器４２の構造を採用したシングルフロータイプの空気調和機用室内機において、同熱交換器４２の伝熱フィンＡ，Ａ・・・、Ｂ，Ｂ・・・の下端部側のＶ字形の切込み１６ｂ，１６ｂ・・・に対応する上端側位置にも所定の深さのＶ字形の切込み１６ａ，１６ａ・・・を形成したことを特徴とするものである。
【００８０】
このような構成によれば、伝熱フィンＡ，Ａ・・・、Ｂ，Ｂ・・・の上端側表面に生じた凝縮水が先ず上端側のＶ字形の切込み１６ａ，１６ａ・・・によりガイドされて、下端側鉛直方向に延びるＶ字形の切込み１６ｂ，１６ｂ・・・部分にスムーズに導かれて、よりスムーズにフィン下端側に流れるようになり、その後、フィン下端部を通して速やかにドレンパン内に導入されるようになる。
【００８１】
その結果、伝熱フィンＡ，Ａ・・・、Ｂ，Ｂ・・・途中のフィン面やスリット（又はルーバー）１３，１３・・・、１４，１４・・・部分に滞留しようとする結露水の排出が速くなり、より確実に水飛び現象を防止することができるようになる。
【００８２】
また、このように、熱交換器伝熱フィンＡ，Ａ・・・、Ｂ，Ｂ・・・の下端側のＶ字形の切込み１６ｂ，１６ｂ・・・に加えて上端側にもＶ字形の切込み１６ａ，１６ａ・・・を設けると、上記下端側のＶ字形の切込み１６，１６・・・、１６ｂ，１６ｂ・・・を延び側とし、上端側のＶ字形の切込み１６ａ，１６ａ・・・を縮み側として当該熱交換器４２の全体の全体を無理なく外側に曲げることができるようになり、より加工性が向上する。
【００８３】
したがって、図４のように、同熱交換器４２を例えば空気調和機用室内機１の本体ケーシング５０や送風通路４０の形状、クロスフローファン４１の設置位置等に合わせて、可及的に伝熱面積が広い最適な円弧形状等に任意に曲成することができる。
【００８４】
この場合、上記上端側の切込み１６ａ，１６ａ・・・の深さは、上述した下端側の切込み１６ｂ，１６ｂ・・・の深さよりも遥かに浅いものとなっている。
【００８５】
上記のように熱交換器伝熱フィンＡ，Ａ・・・、Ｂ，Ｂ・・・の上下両端側に各々Ｖ字形の切込み１６ａ，１６ａ・・・，１６ｂ，１６ｂ・・・を設けるようにした場合、少なくとも上端側のＶ字形の切込み１６ａ，１６ａ・・・は、水ガイド作用を考慮しても曲げ加工に必要な最低限の深さがあれば足りるので、下端側のＶ字形の切込み１６ｂ，１６ｂ・・・よりも浅いもので十分である。
【００８６】
なお、以上の場合には、熱交換器４２全体の剛性を考慮して上下伝熱管１１，１１・・・、１２，１２・・・間の１つ置きに切込み１６ａ，１６ａ・・・、１６ｂ，１６ｂ・・・を形成するようにしたが、もちろん、これは１つ置きでなく、各伝熱管１１，１１・・・、１２，１２・・・の間に各々切込み１６ａ，１６ａ・・・、１６ｂ，１６ｂ・・・を形成するようにしてもよいことは言うまでもない。
【００８７】
（最良の実施の形態３）
次に図６および図７は、本願発明の熱交換器を採用して構成した最良の実施の形態３に係る空気調和機用室内機および同室内機の熱交換器の構成を示している。
【００８８】
この実施の形態では、上記最良の実施の形態１と同様の熱交換器４２の構造を採用したシングルフロータイプの空気調和機用室内機において、同熱交換器４２の伝熱フィンＡ，Ａ・・・、Ｂ，Ｂ・・・の下端部側の切込みを線状の切込み（単に切断しただけの切断線状態の切込み）１７，１７・・・としたことを特徴とするものである。
【００８９】
このような構成によれば、伝熱フィン表面に生じた結露水が鉛直方向に延びる上記線状の切込み１７，１７・・・を介して図６のような傾斜角の大きい設置状態において下部側となる（図７の右側の）伝熱フィンＢ，Ｂ・・・の下縁側にスムーズに流れるようになり、同伝熱フィンＢ，Ｂ・・・の下縁部を通して下方の熱交換器傾斜面部４２ａの幅方向の各部をカバーするように設けられた第１〜第３の各ドレンパン４８ａ，４８ｂ，４８ｃ内に導入されるようになる。
【００９０】
その結果、上記伝熱フィンＡ，Ａ・・・、Ｂ，Ｂ・・・途中のフィン面やスリット（又はルーバー）等切起し片１３，１３・・・、１４，１４・・・部分に滞留する凝縮水がなくなり、略確実に水飛びおよび霧吹き現象を防止することができるようになる。
【００９１】
また、上記のように、熱交換器伝熱フィンＡ，Ａ・・・、Ｂ，Ｂ・・・の下端側に同線状形の切込み１７，１７・・・を設けると、やはり同切込み１７，１７・・・を延び側として当該熱交換器４２の全体を外側に曲げることができるようになり、より加工性が向上する。
【００９２】
したがって、同熱交換器を例えば図示のようなくの字状の場合だけでなく、空気調和機用室内機の本体ケーシングや送風通路の形状に合わせた伝熱面積の確保に有利な円弧形状に曲成することも可能となる。
【００９３】
その結果、同実施形態の構成によると、水飛びや霧吹きが生じにくくて快適性が高く、しかも熱交換器形状、設置の自由度が高い空気調和機用の室内機に適した空気熱交換器を簡単かつ低コストに提供することができるようになる。
【００９４】
なお、以上の説明および図示の形態における切り起し片１３，１３・・・、１４，１４・・・のスリット又はルーバーについては、もちろん各種の形態および個数、列数のものを採用することができる。
【００９５】
（変形例）
なお、以上の実施の形態においても、上記最良の実施の形態２の場合と同様に、上記熱交換器４２の伝熱フィンＡ，Ａ・・・、Ｂ，Ｂ・・・の下端部側の線状の切込み１７，１７・・・に対応する上端側位置にも所定の深さの線状（又は好ましくはＶ字形）の切込みを形成してもよい。
【００９６】
このような構成によれば、伝熱フィンＡ，Ａ・・・、Ｂ，Ｂ・・・の上端側表面に生じた凝縮水が先ず上端側の線状（又はＶ字形）の切込みによりガイドされて、下端側鉛直方向に延びる線状の切込み１７，１７・・・部分にスムーズに導かれて、よりスムーズにフィン下端側に流れるようになり、その後、フィン下端部を通して速やかにドレンパン４８ａ〜４８ｃ内に導入されるようになる。
【００９７】
その結果、伝熱フィンＡ，Ａ・・・、Ｂ，Ｂ・・・途中のフィン面やスリット（又はルーバー）１３，１３・・・、１４，１４・・・部分に滞留しようとする結露水の排出が速くなり、より確実に水飛び現象を防止することができるようになる。
【００９８】
また、このように、熱交換器伝熱フィンＡ，Ａ・・・、Ｂ，Ｂ・・・の下端側の線状の切込み１７，１７・・・に加えて上端側にも線状（又はＶ字形）の切込みを設けると、上記下端側の線状の切込み１７，１７・・・を延び側とし、上端側の線状（又はＶ字形）の切込み１７，１７・・・を縮み側として当該熱交換器４２の全体の全体を無理なく外側に曲げることができるようになり、より加工性が向上する。
【００９９】
したがって、前述の図４のように、同熱交換器４２を例えば空気調和機用室内機１の本体ケーシング５０や送風通路４０の形状、クロスフローファン４１の設置位置等に合わせて、可及的に伝熱面積が広い最適な円弧形状等に任意に曲成することができる。
【０１００】
この場合、上記上端側の切込みの深さは、上述した下端側の切込み１７，１７・・・の深さよりも遥かに浅いもので足りる。
【０１０１】
上記のように熱交換器伝熱フィンＡ，Ａ・・・、Ｂ，Ｂ・・・の上下両端側に各々切込みを設けるようにした場合、少なくとも上端側の切込みは、水ガイド作用を考慮しても曲げ加工に必要な最低限の深さがあれば足りるので、下端側の切込み１７，１７・・・よりも浅いもので十分である。
【０１０２】
なお、この場合にも、熱交換器４２全体の剛性を考慮して上下伝熱管１１，１１・・・、１２，１２・・・間の１つ置きに切込みを形成するようにしてもよいし、１つ置きでなく、上記図６および図７に示す如く各伝熱管１１，１１・・・、１２，１２・・・の間に形成してもよい。
【図面の簡単な説明】
【０１０３】
【図１】本願発明の最良の実施の形態１に係る空気熱交換器を採用して構成した空気調和機用室内機の構成を示す断面図である。
【図２】同空気熱交換器の要部の構成を示す一部切欠正面図である。
【図３】同実施の形態の変形例に係る空気熱交換器の要部の構成を示す一部切欠正面図である。
【図４】本願発明の最良の実施の形態２に係る空気熱交換器を採用して構成した空気調和機用室内機の構成を示す断面図である。
【図５】同空気熱交換器の要部の構成を示す一部切欠断面図である。
【図６】本願発明の最良の実施の形態３に係る空気熱交換器を採用して構成した空気調和機用室内機の構成を示す断面図である。
【図７】同空気熱交換器の要部の構成を示す一部切欠断面図である。
【図８】第１の従来例に係る空気熱交換器を採用して構成した空気調和機の構成を示す断面図である。
【図９】同空気熱交換器の要部の構成を示す一部切欠断面図である。
【図１０】第２の従来例に係る空気熱交換器を採用して構成した空気調和機の構成を示す断面図である。
【符号の説明】
【０１０４】
１は空気調和機、３は天井、１１，１２は伝熱管、１３，１４はスリット（又はルーバー）等の切り起し片、１６はＶ字形の切込み部、１６ａはＶ字形の第１の切込み部、１６ｂはＶ字形の第２の切込み部、４０は送風通路、４２ａは熱交換器４２の所定角以上の傾斜部（下部側）、４４は天井パネル、４５は空気吸込口、４９は空気吹出口、４８ａ〜４８ｃは第１〜第３のドレンパンである。
【図１】
2008202899.tif 000003
【図２】
2008202899.tif 000004
【図３】
2008202899.tif 000005
【図４】
2008202899.tif 000006
【図５】
2008202899.tif 000007
【図６】
2008202899.tif 000008
【図７】
2008202899.tif 000009
【図８】
2008202899.tif 000010
【図９】
2008202899.tif 000011
【図１０】
2008202899.tif 000012